(57)【要約】      （修正有）【課題】作業者が治具を用いずに曲げることができるスラブアンカー用鋼板およびそれを用いたスラブアンカーを提供する。【解決手段】スラブアンカー用鋼板１０は、鋼製ラーメン桟道橋を形成する際、鋼製桁材に打設された床版コンクリートを係留するため、真直な状態で提供され、曲げて用いられ、曲げるべき部分に、一群の溝１２が並列に配置されて形成されており、これらの溝１２により、作業者が治具を用いずに曲げることができるように構成されている。一群の溝１２における溝の数は曲げるべき角度に応じて調節されている。なお、本スラブアンカー用鋼板１０は、鋼製桁材に溶接された状態で搬送される。【選択図】図１
0003197244.tif 000002
【実用新案登録請求の範囲】
【請求項１】
鋼製ラーメン桟道橋を形成する際、鋼製桁材に打設された床版コンクリートを係留するため、真直な状態で提供され、曲げて用いられるスラブアンカー用鋼板において、曲げるべき部分に、一群の溝が並列に配置されて形成されており、これらの溝により、作業者が治具を用いずに曲げることができるように構成されていることを特徴とするスラブアンカー用鋼板。
【請求項２】
前記一群の溝における溝の数が曲げるべき角度に応じて調節されている請求項１のスラブアンカー用鋼板。
【請求項３】
前記鋼製桁材に溶接された状態で搬送される請求項１または２のスラブアンカー用鋼板。
【請求項４】
前記溝は、少なくともその上部において、両側壁が平行である請求項１〜３のいずれかのスラブアンカー用鋼板。
【請求項５】
前記溝位置における残存板厚が１．５〜２．５ｍｍであり、一群の溝の数が３以上であり、各溝の幅が４ｍｍ以下で、かつ溝のピッチが２．５５ｍｍ以上である請求項１〜４のいずれかのスラブアンカー用鋼板。
【請求項６】
請求項１〜５のいずれかのスラブアンカー用鋼板を用いて形成されたスラブアンカー。
【請求項７】
スラブアンカー用鋼板の長手方向中央から見て、両側の鋼板部分が、それぞれ折り曲げ部を２箇所有している請求項６のスラブアンカー。
【考案の詳細な説明】
【技術分野】
【０００１】
本考案は、スラブアンカー用鋼板に関し、更に詳細には、鋼製ラーメン桟道橋を形成する際、鋼製桁材に打設された床版コンクリートを係留するため、真直な状態で提供され、曲げて用いられるスラブアンカー用鋼板に関するものである。
【背景技術】
【０００２】
鋼製ラーメン桟道橋は、次のようにして施工される。
（１）ダウンザホールハンマにより岩盤の削孔、
（２）クローラクレーンにより鋼管杭建て込み、
（３）工場で製作した桁材等を架設、
（４）床版（地覆）コンクリート打設、および
（５）アスファルト敷設（完成）。
【０００３】
スラブアンカーは、桁材に床版コンクリートを係留するために用いられる。
スラブアンカーは、通常、スラブアンカーとなる帯状のスラブアンカー用鋼板の一部を予め工場で桁材に溶接しておき、それを現場に搬送し、現場で前記スラブアンカー用鋼板を折り曲げ、スラブアンカーとしていた。
【考案の概要】
【考案が解決しようとする課題】
【０００４】
上記のスラブアンカー用鋼板においては、用いる鋼板の厚さが、通常、５ｍｍ程度であるので、治具・機械なしでは曲げることができないという問題がある。
【０００５】
そこで、本考案は、作業者が治具を用いずに曲げることができるスラブアンカー用鋼板およびそれを用いたスラブアンカーを提供することを目的とする。
【課題を解決するための手段】
【０００６】
上記課題は、本考案の下記（１）〜（７）の構成のスラブアンカー用鋼板およびスラブアンカーのいずれかにより解決される。
（１）
鋼製ラーメン桟道橋を形成する際、鋼製桁材に打設された床版コンクリートを係留するため、真直な状態で提供され、曲げて用いられるスラブアンカー用鋼板において、曲げるべき部分に、一群の溝が並列に配置されて形成されており、これらの溝により、作業者が治具を用いずに曲げることができるように構成されていることを特徴とするスラブアンカー用鋼板。
（２）
前記一群の溝における溝の数が曲げるべき角度に応じて調節されている前記（１）のスラブアンカー用鋼板。
（３）
前記鋼製桁材に溶接された状態で搬送される前記（１）または（２）のスラブアンカー用鋼板。
（４）
前記溝は、少なくともその上部において、両側壁が平行である前記（１）〜（３）のいずれかのスラブアンカー用鋼板。
（５）
前記溝位置における残存板厚が１．５〜２．５ｍｍであり、一群の溝の数が３以上であり、各溝の幅が４ｍｍ以下で、かつ溝のピッチが２．５５ｍｍ以上である前記（１）〜（４）のいずれかのスラブアンカー用鋼板。
（６）
前記（１）〜（５）のいずれかのスラブアンカー用鋼板を用いて形成されたスラブアンカー。
（７）
スラブアンカー用鋼板の長手方向中央から見て、両側の鋼板部分が、それぞれ折り曲げ部を２箇所有している前記（６）のスラブアンカー。
【考案の効果】
【０００７】
本考案のスラブアンカー用鋼板においては、曲げるべき箇所に一群の溝を設けたので、作業者が手で容易に曲げることができ、効率的で実用的である。
【図面の簡単な説明】
【０００８】
【図１】本考案の実施の形態によるスラブアンカー用鋼板の斜視図である。
【図２】図１に示したスラブアンカー用鋼板の平面図である。
【図３】図１に示したスラブアンカー用鋼板の正面図である。
【図４】図１に示したスラブアンカー用鋼板を、Ｈ形鋼である桁材の一方のフランジの表面に配置溶接した状態で示した斜視図である。
【図５】図４に示したスラブアンカー用鋼板を曲げてスラブアンカーとした状態を示す斜視図である。
【図６】図５に示したスラブアンカーのみを拡大して示した斜視図である。
【図７】図６に示したスラブアンカーの正面図である。
【考案を実施するための形態】
【０００９】
以下、添付図面を参照しつつ、本考案の実施の態様によるスラブアンカー用鋼板およびスラブアンカーについて説明する。
図１は、本発明の実施の態様によるスラブアンカー用鋼板を示す斜視図、図２は、図１のスラブアンカー用鋼板の平面図、図３は、図１のスラブアンカー用鋼板の正面図、図４は、スラブアンカー用鋼板を、桁材に溶接により取り付けた状態で示した斜視図、および図５は、図４においてスラブアンカー用鋼板を曲げた状態で表した正面図である。
【００１０】
このスラブアンカー用鋼板１０は、鋼製ラーメン桟道橋を形成する際、鋼製桁材Ｂ（図４参照）に打設された床版コンクリートを係留するため、真直な状態で提供され、曲げて用いられるスラブアンカー用鋼板であって、曲げるべき部分に、一群の溝１２が並列に配置されて形成されている。図１等に示したスラブアンカー用鋼板１０では、スラブアンカー用鋼板の長手方向中央から見て、両側の鋼板部分が、それぞれ折り曲げ部を２箇所有しており、折り曲げ部のそれぞれにいる一群の溝が形成されている。この両側の鋼板部分の折り曲げ部の数は。それぞれ１箇所であっても、３箇所以上であってもよく、また円弧状であっても良い。
【００１１】
前記一群の溝１２における溝の数が曲げるべき角度に応じて調節されていることが好ましい。例えば、図５〜図７に示したように、中央部に近い第１立ち上がり部分１０ｂは、平面の中央部分１０ａに対して折り曲げ部１４において４５度折り曲げられるようになっており、比較的曲げ角度が小さいので、溝の数を３つとしている。一方、第１立ち上がり部分１０ｂに続く第２立ち上がり部１０ｃは、第１立ち上がり部分１０ｂに対して折り曲げ部１６において９０度折り曲げられるようになっており、比較的曲げ角度が大さいので、溝の数を５つとしている。
【００１２】
本スラブアンカー用鋼板１０は、図４に示したように、前記鋼製桁材Ｂにその中央部分１０ａが溶接された状態で搬送されるようになっており、現場で図５以降に示されているように、作業員により手で折り曲げられてスラブアンカーＡとなる。
【００１３】
前記溝１２の形状として、図においては、底面が平坦で、両側壁が平行な形状のものを示したが、少なくともその上部において、両側壁が平行であればよい。
【００１４】
前記スラブアンカー用鋼板１０は、前記溝位置における残存板厚が１．５〜２．５ｍｍであり、各溝の幅が４ｍｍ以下で、かつ溝のピッチが２．５５ｍｍ以上であることが好ましい。
【符号の説明】
【００１５】
１０  スラブアンカー用鋼板
１０ａ  中央部分
１０ｂ  第１立ち上がり部分
１０ｃ  第２立ち上がり部分
１２  溝
１４  折り曲げ部
１６  折り曲げ部
【図１】
0003197244.tif 000003
【図２】
0003197244.tif 000004
【図３】
0003197244.tif 000005
【図４】
0003197244.tif 000006
【図５】
0003197244.tif 000007
【図６】
0003197244.tif 000008
【図７】
0003197244.tif 000009